(57)【要約】【課題】    発光体への横方向からの外光があっても発光体の発光を視認することができ、視野角を大きくとれる表示器を提供する。【解決手段】    複数のＬＥＤランプ２がマトリックス状に配列されたＬＥＤ基板３と、複数のＬＥＤランプ２に対応する位置に複数の開口４ａを有し、ＬＥＤ基板３を背面側に配置することにより、複数のＬＥＤランプ２を複数の開口４ａから前方に露出させたベース４と、複数のＬＥＤランプ２の各々の上方を正面から見て弧状に覆うようにベース４上に立設された複数のルーバ部５ａとを備え、複数のルーバ部５ａは、水平方向に並ぶ複数のルーバ部５ａ同士が連続して形成され、複数のルーバ部５ａ間に低背部５ｂを備える。【選択図】    図１
2005275178.tif 000002
【特許請求の範囲】
【請求項１】
水平姿勢と異なる姿勢で屋外に設置される屋外表示器において、
複数の発光体がマトリックス状に配列された基板と、
前記複数の発光体に対応する位置に複数の開口を有し、前記基板を背面側に配置することにより、前記複数の発光体を前記複数の開口から前方に露出させたベースと、
前記複数の発光体の各々の上方を正面から見て弧状に覆うように前記ベース上に立設された複数のルーバ部とを備え、
前記複数のルーバ部は、水平方向に並ぶ複数のルーバ部同士が連続して形成され、前記複数のルーバ部間に低背部を有することを特徴とする屋外表示器。
【請求項２】
前記ベースは、前記複数の開口の各周辺に斜め下前方に傾斜した傾斜面を備えたことを特徴とする請求項１記載の屋外表示器。
【請求項３】
前記複数のルーバ部は、先端面が外光を乱反射させる処理が施されたことを特徴とする請求項１記載の屋外表示器。
【請求項４】
前記複数のルーバ部は、先端面が鉛直に対して傾斜することを特徴とする請求項１記載の屋外表示器。
【請求項５】
前記複数の発光体は、外形が正面から見て水平方向に長い楕円あるいは長円形状を有することを特徴とする請求項１記載の屋外表示器。
【請求項６】
前記複数の発光体は、上下の前記ルーバ部間において上方に偏心して配置されたことを特徴とする請求項１記載の屋外表示器。
【請求項７】
前記複数の発光体は、ＬＥＤランプであることを特徴とする請求項１記載の屋外表示器。
【発明の詳細な説明】
【技術分野】
【０００１】
本発明は、複数の発光体がマトリックス状に配列された屋外表示器に関する。
【背景技術】
【０００２】
バスの行先表示器や店舗の広告用に発光体としてＬＥＤ（発光ダイオード）ランプを使用した屋外表示器が知られている（例えば、特許文献１参照。）。
【０００３】
特許文献１に示された屋外表示器は、バスの前部や後部等に設置されるものであり、複数のＬＥＤランプがマトリックス状に配列されたＬＥＤ基板と、複数のＬＥＤランプに対応する位置に複数の開口を有し、ＬＥＤ基板を背面側に配置することにより、複数のＬＥＤランプを複数の開口から前方に露出させたベースと、ＬＥＤランプの間を水平方向に仕切るようにベース上に立設された複数のルーバとを備える。また、特許文献１には、他の屋外表示器として、各ＬＥＤランプに円筒状のフードを設けたものや交通信号機のように樋状のフードを設ける構成の表示器が示されている。
【０００４】
この表示装置によれば、ルーバによりＬＥＤランプの斜め上方向からの外光を遮光するので、昼間の屋外使用に際しての視認性を低下させることがない。
【特許文献１】特開平９−５４５５８号公報（段落００５８，００７２、図３）
【発明の開示】
【発明が解決しようとする課題】
【０００５】
しかし、従来の屋外表示器によれば、下方向からＬＥＤランプの表示を見ようとすると、フードにより妨げれらるため、バスの行先表示器のように屋外表示器が目線より高い位置に設置されるような場合には、行先表示が見づらくなる。
【０００６】
従って、本発明の目的は、外光があっても発光体の発光を明瞭に視認することができるとともに、近距離の視野角を大きくとることができる屋外表示器を提供することにある。
【課題を解決するための手段】
【０００７】
本発明は、上記目的を達成するため、水平姿勢と異なる姿勢で屋外に設置される屋外表示器において、複数の発光体がマトリックス状に配列された基板と、前記複数の発光体に対応する位置に複数の開口を有し、前記基板を背面側に配置することにより、前記複数の発光体を前記複数の開口から前方に露出させたベースと、前記複数の発光体の各々の上方を正面から見て弧状に覆うように前記ベース上に立設された複数のルーバ部とを備え、前記複数のルーバ部は、水平方向に並ぶ複数のルーバ部同士が連続して形成され、前記複数のルーバ部間に低背部を有することを特徴とする屋外表示器を提供する。
【発明の効果】
【０００８】
本発明の屋外表示器によれば、外光があっても発光体の発光を明瞭に視認することができるとともに、近距離の視野角を大きくとることができる。
【発明を実施するための最良の形態】
【０００９】
［第１の実施の形態］
図１、図２、図３は、本発明の第１の実施の形態に係る屋外表示器を示し、図１は斜視図、図２（ａ）は平面図、図２（ｂ）は正面図、図２（ｃ）は側面図、図２（ｄ）は底面図、図３は要部拡大図である。この屋外表示器１は、水平姿勢と異なる姿勢で屋外に設置されるものであり、発光体として複数のＬＥＤランプ２がマトリックス状に配列されたＬＥＤ基板３と、複数のＬＥＤランプ２に対応する位置に複数の開口４ａを有し、ＬＥＤ基板３を背面側に配置することにより、複数のＬＥＤランプ２を複数の開口４ａから前方に露出させたベース４と、ＬＥＤランプ２の間を水平方向に仕切るようにベース４上に立設された複数のルーバ５とを備える。ベース４は、複数の開口４ａの各周辺に斜め下前方に傾斜した傾斜面４ｂを有する。
【００１０】
ここで、屋外とは、建物の外に限らず、例えば、病院や駅等の待合室のような屋外に準ずるような場所を含むものである。また、水平姿勢と異なる姿勢とは、鉛直姿勢に置くだけでなく、水平方向に対して傾斜した姿勢をも含むものである。発光体のマトリックス状の配列には、発光体が縦横に整列したもののほか、互い違いあるいは千鳥状に配置されたものを含む。発光体は、ＬＥＤランプのほか、ムギ球、豆球等の電球等の他の発光体を含む。
【００１１】
ルーバ５は、複数のＬＥＤランプ２の上方を正面から見て弧状に覆うように形成された複数のルーバ部５ａと、複数のルーバ部５ａ間に設けられた低背部５ｂとを有する。ルーバ部５ａの先端面５ｃは、鉛直に対して傾斜し、外光を乱反射させる処理、例えば、梨地処理が施されている。
【００１２】
ベース４およびルーバ５は、耐候性および耐熱性に富む材料、例えば、ポリカーボネートからなり、射出成形等により一体成形されている。
【００１３】
各ＬＥＤランプ２は、上下のルーバ５間において上方に偏心して配置されている。ＬＥＤランプ２は、例えば、アンバー色を発色するＬＥＤ素子と、例えば、エポキシ樹脂からなり、ＬＥＤ素子を封止し、発光光を所定の角度の指向性を有して出射する封止部２０と、ＬＥＤ素子に駆動電源を供給し、ＬＥＤ基板３の回路パターンと接続するリード２１，２１とを備える。封止部２０は、外形が正面から見て水平方向に長い楕円あるいは長円形状をそれぞれ有する。
【００１４】
図４は、ＬＥＤランプ２の出射角を示し、（ａ）は図３のＸ−Ｘ線に沿う断面図、（ｂ）は図３のＹ−Ｙ線に沿う断面図である。ここで図３、図４中（イ）で示すＬＥＤランプ２について説明する。（イ）で示すＬＥＤランプ２は封止部２０により封止されたＬＥＤ素子２２を有し、このＬＥＤ素子２２の発光によるＬＥＤランプ２からの出射光は、横方向から見ると、ＬＥＤランプ２の上方に設けられたルーバ部５ａの先端面５ｃからＬＥＤランプ２の下方に設けられたルーバ部５ａの先端面５ｃ間の角度θ１、例えば、７２°の広がりで出射し、またＬＥＤランプ２の左側の低背部５ｂからＬＥＤランプ２の右下にある低背部５ｂ間の角度θ２、例えば、１０６°の広がりで出射する。また、上面または底面から見ると、図４（ｂ）に示すように、ＬＥＤランプ２からの出射光は、左右に隣接して設けられたＬＥＤランプ２，２の上方の先端面５ｃ間の角度θ３、例えば、１２０°の広がりで出射し、隣接して設けられたＬＥＤランプ２，２の封止部２０の先端間の角度θ４、例えば、１４６°の広がりで出射する。角度θ１〜θ４は、上記の角度に限定されるものではなく、ＬＥＤの種類や用途によって適宜変更されるものである。
【００１５】
（第１の実施の形態の効果）
次に、第１の実施の効果を図５、図６および図７を参照して説明する。
図５および図６は、第１の実施の形態に係る屋外表示器１と特許文献１に対応する表示器についての比較例であり、図５は、斜め上方から見た斜視図、図６は、斜め下方から見た斜視図、図７は、正面から外光が入射したときの反射を示す断面図である。図５および図６は、上側７行を本実施の形態、下段３行を従来例により構成した比較例である。
【００１６】
第１の実施の形態によれば、各ＬＥＤランプ２の上方をルーバ部５ａにより弧状に覆ったので、図５に示すように、下側３行の従来例よりもランプ２の隠れる領域が増えていることから分かるように、斜め上方からの外光がランプに照射してその反射光量が少なくなるので、ＬＥＤランプによる表示の視認性が向上する。
【００１７】
ルーバ部５ａ間に低背部５ｂを設けたので、近距離から屋外表示器を見上げた場合、図６に示すように、下側３行の従来例よりもランプ２の見える領域が増えていることから分かるように、近距離の視野角を大きくすることができる。
【００１８】
また、ルーバ部５ａの先端面５ｃは、鉛直に対して傾斜しており、また、外光を乱反射させる処理が施されているため、外光による反射光が視野外に反射するので、ＬＥＤランプの発光光を認識しやすくなる。
【００１９】
また、ＬＥＤランプ２がルーバ部５ａの内面を明るく照射するため、夜間などにおいて近距離の表示の視認性が向上する。
【００２０】
また、図７に示すように、ベース４は、複数の開口４ａの各周辺に斜め下前方に傾斜した傾斜面４ｂを有しているため、外光による入射光１０の反射光１１が視野外に反射するので、ＬＥＤランプの発光光を認識しやすくなる。これに対して、従来の屋外表示器のベース５４に外光による入射光１０が反射して入射方向に戻る方向の反射光１２を出射するので、ＬＥＤランプの発光を認識しにくくなる。
【００２１】
［第２の実施の形態］
図８は、本発明の第２の実施に形態に係る屋外表示器のルーバを示す。このルーバ５は、低背部５ｂを有し、正面側から見たときは、平板状である。このルーバ５によれば、低背部を有するため、視野角を大きくすることができ、これにより広い範囲で表示を視認することができる。
【００２２】
［他の実施の形態］
なお、本発明は、上記各実施例に限定されず、その要旨を変更しない範囲内で種々変更してもよい。例えば、複数のＬＥＤランプは、単色に限らず、２色以上のものを組み合わせてもよい。また、１つのＬＥＤランプの中に同じ色または異なる色の複数のＬＥＤ素子を含むものであってもよい。また、ベースの開口以外の面に穴をあけることにより、外光の反射を抑えることができる。また、ルーバ部は、上面あるいは正面から見たときに円形状、三角形状、台形状等の他の形状であってもよい。これによれば、横方向からの外光があってもＬＥＤランプの発光を視認することができ、視野角を大きくとることができる。
【図面の簡単な説明】
【００２３】
【図１】本発明の第１の実施の形態に係る屋外表示器の斜視図である。
【図２】第１の実施の形態に係る屋外表示器を示す図であり、（ａ）は平面図、（ｂ）は正面図、（ｃ）は側面図、（ｄ）は底面図である。
【図３】第１の実施の形態に係る屋外表示器の要部拡大図である。
【図４】ＬＥＤランプの出射角を示し、（ａ）は図３のＸ−Ｘ線に沿う断面図、（ｂ）は図３のＹ−Ｙ線に沿う断面図である。
【図５】第１の実施の形態に係る屋外表示器１と特許文献１に対応する表示器についての比較図で、斜め上方から見た斜視図である。
【図６】第１の実施の形態に係る屋外表示器１と特許文献１に対応する表示器についての比較図で、斜め下方から見た斜視図である。
【図７】第１の実施の形態に係る屋外表示器１と特許文献１に対応する表示器についての比較図で、正面から外光が入射したときの反射を示す断面図である。
【図８】本発明の第２の実施に形態に係る屋外表示器のルーバを示す。（ａ）は平面図、(ｂ)は正面図である。
【符号の説明】
【００２４】
１  屋外表示器
２  ＬＥＤランプ
３  ＬＥＤ基板
４  ベース
４ａ  開口
４ｂ  傾斜面
５  ルーバ
５ａ  ルーバ部
５ｂ  低背部
５ｃ  先端面
１０  入射光
１１  反射光
１２  反射光
２０  封止部
２１  リード
２２  ＬＥＤ素子
５２  ＬＥＤランプ
５４  ベース
５５  ルーバ
【図１】
2005275178.tif 000003
【図２】
2005275178.tif 000004
【図３】
2005275178.tif 000005
【図４】
2005275178.tif 000006
【図５】
2005275178.tif 000007
【図６】
2005275178.tif 000008
【図７】
2005275178.tif 000009
【図８】
2005275178.tif 000010